(57)【特許請求の範囲】
【請求項１】
底面と、
底面の左右が立ち上げられた左立面および右立面と、
底面の前後が立ち上げられた前立面および後立面と
が形成された縦葺き屋根材取付金具であって、
前立面は、
左立面および右立面の前端縁に当接又は近接しており、
後立面は、
左立面および右立面の後端縁に当接又は近接しており、
前立面および後立面の左右両端縁には、
左右一対で略ハ字状となる折曲部で前又は後ろに折り曲げられた面として形成された被嵌合導入部と、
該被嵌合導入部下端縁に左立面および右立面よりも外側に突出する被嵌合部が形成されており、
左立面および右立面の上端には、
前立面および後立面の上端よりも高い位置に被嵌合補助部が形成され、
該被嵌合補助部は、
前後端縁が前立面および後立面より外側に突出しており、
前記被嵌合補助部の左右外側面と被嵌合部との間に、
前記被嵌合導入部が形成されており、
被嵌合補助部の下端縁と被嵌合導入部の上端縁が近接しており、被嵌合補助部の外側面と、被嵌合導入部の外側面とがゆるやかな鈍角になる位置関係に形成されている
縦葺き屋根材取付金具。
【請求項２】
前記左立面および右立面は、
前後端縁において被嵌合補助部よりも低い位置に挿入部を有し、
前記前立面および後立面は、
挿入孔を有し、
該挿入孔に前記挿入部が挿入されている
請求項１の縦葺き屋根材取付金具。
【請求項３】
縦葺き屋根材の嵌合部が、
請求項１又は請求項２の縦葺き屋根材取付金具の被嵌合部に嵌合された
縦葺き屋根材の取付構造。
【発明の詳細な説明】
【技術分野】
【０００１】
本願は、縦葺き屋根材が取り付けやすく、かつ取付強度が高い縦葺き屋根材取付金具及び縦葺き屋根材の取付構造を提供することを目的とする。
【背景技術】
【０００２】
従来技術について、図１０から図１１までで説明する。
【０００３】
図１０は、意匠登録第１２７３０４９号公報にて公開されている屋根板用取付金具に関する技術である。図１０に示した先行技術では、底面と、底面の左右が立ち上げられた左立面および右立面と、底面の前後が立ち上げられた前立面および後立面を有する。前立面と後立面には、屋根板の被嵌合部を有する。また、左立面および右立面は、前立面および後立面の左右端縁に当接又は近接している。
【０００４】
図１１は、特開２０１５−１３２０９１号公報にて公開されている縦葺き屋根用嵌合部材、折板屋根用取付部材及び二重折板屋根用取付部材に関する技術である。図１１に示した先行技術は、縦葺き屋根用嵌合部材を構成する内側部材である。内側部材は、底面と、底面を上方に折り曲げて形成され、外側に突出する外側部材用被嵌合部が設けられている立面を有している。
【先行技術文献】
【非特許文献】
【０００５】
【非特許文献１】意匠登録第１２７３０４９号公報
【特許文献】
【０００６】
【特許文献１】特開２０１５−１３２０９１号公報
【発明の概要】
【発明が解決しようとする課題】
【０００７】
図１０に示した先行技術では、屋根板用取付金具に取り付けた屋根板に屋根の流れ方向の荷重が加わった場合に、前立面と後立面だけでそれを支える構成である。このような構成であるために、前立面や後立面が倒れてしまったり、変形してしまったりする恐れがあった。そのため、強度を向上させるには、リブを形成したり、板厚を厚くしたりする必要があった。
【０００８】
図１１に示した先行技術は、縦葺き屋根用嵌合部材が２部材で構成されているため、コストがかかっていた。また、さらなる強度向上が求められていた。
【０００９】
また、図１０に示した屋根板用取付金具、および図１１に示した縦葺き屋根用嵌合部材に、嵌合式の縦葺き屋根材を組み合わせる場合、それらが嵌合される位置が低いと強度が高いことが知られている。その一方、図１０に示した屋根板用取付金具、および図１１に示した縦葺き屋根用嵌合部材は、その嵌合される部分の上部に略ハ字状の端縁が形成されている。この略ハ字状の端縁は、長くすることによって縦葺き屋根材を小さな力で嵌合させやすくなる。ここで、略ハ字状の端縁を長くするために前立面や後立面を高くすると、縦葺き屋根材を嵌合させるときに、前立面や後立面が倒れやすくなってしまうという問題があった。
【課題を解決するための手段】
【００１０】
本願は、底面と、底面の左右が立ち上げられた左立面および右立面と、底面の前後が立ち上げられた前立面および後立面とが形成された縦葺き屋根材取付金具である。前立面は、左立面および右立面の前端縁に当接又は近接している。後立面は、左立面および右立面の後端縁に当接又は近接している。前立面および後立面の左右両端縁には、左右一対で略ハ字状となる被嵌合導入部と、左立面および右立面よりも外側に突出する被嵌合部が形成されている。左立面および右立面の上端には、前立面および後立面の上端よりも高い位置に被嵌合補助部が形成され、前後端縁が前立面および後立面より外側に突出している。被嵌合補助部の左右外側面と被嵌合部との間に、前記被嵌合導入部が形成されている。
【００１１】
また、本願は、上記に加え、左立面および右立面は、前後端部において被嵌合補助部よりも低い位置に挿入部を有する。前立面および後立面は、挿入孔を有する。その挿入孔に挿入部が挿入されている縦葺き屋根材取付金具である。
【００１２】
さらに、本願は、縦葺き屋根材の嵌合部が、上記の縦葺き屋根材取付金具の被嵌合部に嵌合された縦葺き屋根材の取付構造である。
【発明の効果】
【００１３】
本願は、縦葺き屋根材取付金具に取り付けた縦葺き屋根材に対して、屋根の流れ方向の荷重が加わった場合に、前立面や後立面が、左立面および右立面で支えられる構成である。このような構成であるために、リブを形成したり、板厚を厚くしたりすることなく、縦葺き屋根材の取付強度を向上させることができる。
【００１４】
本願は、１部材で縦葺き屋根材を取り付けることができる。そのため、コストが抑えられる。
【００１５】
本願は、左立面および右立面の上端には、前立面および後立面の上端よりも高い位置に被嵌合補助部が形成されている。そして、被嵌合補助部は、前後端縁が前立面および後立面より外側に突出しており、その左右外側面と被嵌合部との間に、左右一対で略ハ字状となる被嵌合導入部が形成されている。そのため、被嵌合部までの寸法が十分に確保されているので、縦葺き屋根材を嵌合させやすい。また、被嵌合補助部を左立面および右立面に形成したことによって、スプリングバック等の性質も利用することができる。その結果、より小さな力で縦葺き屋根材を嵌合させることができる。それに加え、前立面や後立面は、高さを低くおさえることができるので、倒れにくくなる。
【００１６】
また、本願は、挿入部が挿入孔に挿入されている。そのため、左立面および右立面、前立面および後立面が常に適正な位置関係になる。また、被嵌合補助部に対して上からの荷重がかかった場合、挿入孔に挿入部が挿入されていることによって、左立面および右立面が倒れにくくなる効果が得られる。
【図面の簡単な説明】
【００１７】
【図１】本願の縦葺き屋根材取付金具の実施例（実施例１）を示す説明図である。
【図２】本願の縦葺き屋根材取付金具の実施例（実施例１）を示す説明図である。
【図３】本願の縦葺き屋根材の取付構造の実施例（実施例１）を示す説明図である。
【図４】本願の縦葺き屋根材取付金具の実施例（実施例２）を示す説明図である。
【図５】本願の縦葺き屋根材取付金具の実施例（実施例２）を示す説明図である。
【図６】本願の縦葺き屋根材の取付構造の実施例（実施例２）を示す説明図である。
【図７】本願の縦葺き屋根材取付金具の実施例（実施例３）を示す説明図である。
【図８】本願の縦葺き屋根材取付金具の実施例（実施例３）を示す説明図である。
【図９】本願の縦葺き屋根材の取付構造の実施例（実施例３）を示す説明図である。
【図１０】従来技術の説明図である。
【図１１】従来技術の説明図である。
【実施例】
【００１８】
本願の縦葺き屋根材取付金具及び縦葺き屋根材の取付構造について、図１から図９までにより説明する。図１は、本願の縦葺き屋根材取付金具の実施例１を示す斜視図である。図２は、図１に示した縦葺き屋根材取付金具の正面図、平面図及び側面図である。図３は、図１に示した縦葺き屋根材取付金具を用いた本願の縦葺き屋根材の取付構造の実施例である。図４は、本願の縦葺き屋根材取付金具の実施例２を示す斜視図である。図５は、図４に示した縦葺き屋根材取付金具の正面図、平面図及び側面図である。図６は、図４に示した縦葺き屋根材取付金具を用いた本願の縦葺き屋根材の取付構造の実施例である。図７は、本願の縦葺き屋根材取付金具の実施例３を示す斜視図である。図８は、図７に示した縦葺き屋根材取付金具の正面図、平面図及び側面図である。図９は、図７に示した縦葺き屋根材取付金具を用いた本願の縦葺き屋根材の取付構造の実施例である。
【００１９】
まず、図１から図９までによって、本願の縦葺き屋根材取付金具および縦葺き屋根材取付構造について説明する。本願の縦葺き屋根材取付金具Ｋは、嵌合部Ｙ１を有する縦葺き屋根材Ｙを取り付けるのに用いる。本願の縦葺き屋根材取付金具Ｋは、下地Ｓに直接固定されたり、タイトフレームの上部に固定されたりする。そのため、本願の縦葺き屋根材取付金具Ｋは、固定されるところを問わない。
【００２０】
本願の縦葺き屋根材取付金具Ｋは、底面Ｋ１を有する。底面Ｋ１は、下地Ｓやタイトフレームの上部などに、本願の縦葺き屋根材取付金具Ｋを固定する役割を果たす部分である。本実施例では、ビス等の固定具を挿通させる固定具用孔Ｋ１１が形成されており、前後方向に３つ並んでいる。この固定具用孔Ｋ１１は、複数形成されていることが望ましい。本実施例の縦葺き屋根材取付金具Ｋは、２つ以上の固定具用孔Ｋ１１を用いて固定される。そうすることによって、縦葺き屋根材Ｙが嵌合される際に、加えられる力によって縦葺き屋根材取付金具Ｋが回転しない効果が得られる。
【００２１】
本願の縦葺き屋根材取付金具Ｋの底面Ｋ１には、３つ以上の固定具用孔Ｋ１１が形成されていることが望ましい。そうすることによって、いずれかの固定具用孔Ｋ１１の位置がビス等の固定具を打ち込めない位置に当たってしまった場合でも、ほかの固定具用孔Ｋ１１を用いて、縦葺き屋根材取付金具Ｋを固定させることができる。
【００２２】
本願は、底面Ｋ１の左右が立ち上げられた左立面Ｋ２および右立面Ｋ３が形成されている。本実施例においては、左立面Ｋ２および右立面Ｋ３は、それぞれ平行な位置に、同方向（上方向）への折り曲げによって形成されている。
【００２３】
本願は、底面Ｋ１の前後が立ち上げられた前立面Ｋ４および後立面Ｋ５が形成されている。この前立面Ｋ４は、左立面Ｋ２および右立面Ｋ３の前端縁に当接又は近接するように形成されている。一方、後立面Ｋ５は、左立面Ｋ２および右立面Ｋ３の後端縁に当接又は近接するように形成されている。本実施例においては、前立面Ｋ４および後立面Ｋ５は、それぞれ平行な位置に、同方向（上方向）への折り曲げによって形成されている。
【００２４】
前立面Ｋ４および後立面Ｋ５は、左立面Ｋ２および右立面Ｋ３に対して略直角になる位置に形成されていることが望ましい。そうすることによって、屋根の流れ方向の荷重が加わった場合、前立面Ｋ４や後立面Ｋ５が、左立面Ｋ２および右立面Ｋ３の前後縁端にまっすぐ当たる。そのため、より強度が高い構成になる。
【００２５】
本願は、前立面Ｋ４および後立面Ｋ５の左右両端部には、左立面Ｋ２および右立面Ｋ３よりも外側に突出する被嵌合部Ｋ４２・Ｋ４２・Ｋ５２・Ｋ５２を有する。この被嵌合部Ｋ４２・Ｋ４２・Ｋ５２・Ｋ５２は、縦葺き屋根材Ｙの嵌合部Ｙ１・Ｙ１が嵌められる部分である。一般的な嵌合式の縦葺き屋根材Ｙの場合、縦葺き屋根材取付金具Ｋに対して上側から押し込むように取り付けられる。したがって、縦葺き屋根材取付金具Ｋの被嵌合部Ｋ４２・Ｋ４２・Ｋ５２・Ｋ５２は、左右一対で略ハ字状となる被嵌合導入部Ｋ４４・Ｋ４４・Ｋ５４・Ｋ５４の下に形成されている。
【００２６】
被嵌合導入部Ｋ４４・Ｋ４４・Ｋ５４・Ｋ５４は、本実施例のように前立面Ｋ４および後立面Ｋ５を折り曲げて、「面」で形成してもよい。そうすることによって、縦葺き屋根材Ｙを嵌合させる際に、被嵌合導入部Ｋ４４・Ｋ４４・Ｋ５４・Ｋ５４と面同士で当接される構成になる。そのため、被嵌合導入部Ｋ４４・Ｋ４４・Ｋ５４・Ｋ５４を「端縁」に形成するのに比べ、縦葺き屋根材Ｙの裏面を傷つけることが少ない。また、被嵌合導入部Ｋ４４・Ｋ４４・Ｋ５４・Ｋ５４を面として形成することによって、縦葺き屋根材Ｙを嵌合させる際、縦葺き屋根材取付金具Ｋの被嵌合部Ｋ４２・Ｋ５２が「点」ではなく、「線」で構成される。その結果、縦葺き屋根材Ｙが縦葺き屋根材取付金具Ｋに当接している部分が大きくなる。そのため、集中荷重が分散され、縦葺き屋根材Ｙが破れにくくなる効果がある。
【００２７】
本願では、左立面Ｋ２および右立面Ｋ３の上端に、前立面Ｋ４および後立面Ｋ５の上端よりも高い位置に形成された被嵌合補助部Ｋ２２・Ｋ２２・Ｋ３２・Ｋ３２を有する。本実施例では、前立面Ｋ４および後立面Ｋ５よりも、左立面Ｋ２および右立面Ｋ３の方が高く形成されている。
【００２８】
被嵌合補助部Ｋ２２・Ｋ３２・Ｋ２２・Ｋ３２は、前後端縁が前立面Ｋ４および後立面Ｋ５より外側に突出している。すなわち、左立面Ｋ２および右立面Ｋ３が、側面視略Ｔ字状になっている。
【００２９】
本願では、縦葺き屋根材取付金具Ｋにおいて、被嵌合補助部Ｋ２２・Ｋ３２・Ｋ２２・Ｋ３２の左右外側面から被嵌合導入部Ｋ４４・Ｋ４４・Ｋ５４・Ｋ５４を経て被嵌合部Ｋ４２・Ｋ４２・Ｋ５２・Ｋ５２まで（縦葺き屋根材Ｙの嵌合部Ｙ１・Ｙ１が沿う部分）が略ハ字状に形成されている。本実施例では、被嵌合補助部Ｋ２２・Ｋ３２・Ｋ２２・Ｋ３２の下端縁と、被嵌合導入部Ｋ４４・Ｋ４４・Ｋ５４・Ｋ５４の上縁端が近接しており、被嵌合補助部Ｋ２２・Ｋ３２・Ｋ２２・Ｋ３２の外側面と、被嵌合導入部Ｋ４４・Ｋ４４・Ｋ５４・Ｋ５４の面とがゆるやかな鈍角になる位置関係に形成されている。
【００３０】
本願の縦葺き屋根材取付金具Ｋは、嵌合部Ｙ１を有する縦葺き屋根材Ｙを嵌合させて、取り付けるものである。そのため、本願において縦葺き屋根材Ｙとは、嵌合部Ｙ１を１つ以上有するものであればよい。
【００３１】
本実施例において、縦葺き屋根材Ｙの取り付けに当たっては、はじめに、嵌合部Ｙ１・Ｙ１が被嵌合補助部Ｋ２２・Ｋ２２・Ｋ３２・Ｋ３２の左右外側面に当接される。そして、縦葺き屋根材Ｙに対して上から下方向への荷重が加えられると、嵌合部Ｙ１・Ｙ１は被嵌合補助部Ｋ２２・Ｋ３２・Ｋ２２・Ｋ３２の左右外側面、被嵌合導入部Ｋ４４・Ｋ４４・Ｋ５４・Ｋ５４と連続してそれらに沿って押し広げられて、被嵌合部Ｋ４２・Ｋ４２・Ｋ５２・Ｋ５２に嵌合される。なお、被嵌合補助部Ｋ２２・Ｋ３２・Ｋ２２・Ｋ３２は、左立面２および右立面３に形成されており、その弾性も利用できるので、より小さな力で縦葺き屋根材Ｙを嵌合させることができる。このように、本願は、縦葺き屋根材取付金具Ｋに対して、縦葺き屋根材Ｙが取り付けやすい構成になっている。
【００３２】
本実施例の被嵌合補助部Ｋ２２・Ｋ２２・Ｋ３２・Ｋ３２は、上端がやや内側に曲げられた曲面で形成されている。このような構成によって、縦葺き屋根材Ｙの嵌合部Ｙ１・Ｙ１を、縦葺き屋根材取付金具Ｋの被嵌合部Ｋ４２・Ｋ４２・Ｋ５２・Ｋ５２に、より嵌合させやすくなっている。
【００３３】
さらに、被嵌合補助部Ｋ２２・Ｋ３２・Ｋ２２・Ｋ３２の左右内側面に近接又は当接する受支部Ｋ４３・Ｋ５３が、前立面Ｋ４および後立面Ｋ５に形成されていてもよい。受支部Ｋ４３・Ｋ５３を形成させることによって、縦葺き屋根材Ｙを取り付けるときに、縦葺き屋根材Ｙに対して下方向への荷重が加えられても、被嵌合補助部Ｋ２２・Ｋ３２・Ｋ２２・Ｋ３２が受支部Ｋ４３・Ｋ５３に当接されて内側方向に変形しにくくなる。
【実施例１】
【００３４】
次に、図１から図３までによって、本願の縦葺き屋根材取付金具について実施例１を説明する。本実施例は、実施例２および実施例３で示す挿入部および挿入孔を有さない。ただし、本願は、挿入部および挿入孔が形成されている方が望ましい。
【００３５】
本実施例の縦葺き屋根材Ｙの取付構造について図３にて説明する。本実施例では、キャップを用いない縦葺き屋根材Ｙを取り付けるものである。なお、本願で用いる縦葺き屋根材Ｙは、キャップの有無を問わない。後述する実施例３にて、キャップを用いる場合について説明する。
【００３６】
本実施例では、まず、縦葺き屋根材取付金具Ｋを下地Ｓに固定する。このとき、底面Ｋ１に形成された固定具用孔Ｋ１１にビス等の固定具が打ち込まれることによって固定される。これを所定の間隔ごと、屋根の流れ方向、桁行方向に並べるように、複数の縦葺き屋根材取付金具Ｋを固定していく。
【００３７】
本実施例では、屋根の流れ方向に並べられた縦葺き屋根材取付金具Ｋの被嵌合部Ｋ４２・Ｋ４２・Ｋ５２・Ｋ５２に、縦葺き屋根材Ｙの嵌合部Ｙ１・Ｙ１が嵌合されて取り付けられる。縦葺き屋根材Ｙが、はじめに嵌合部Ｙ１・Ｙ１が被嵌合補助部Ｋ２２・Ｋ２２・Ｋ３２・Ｋ３２の左右外側面に当接される。そして、縦葺き屋根材Ｙに対して上から下方向への荷重が加えられると、嵌合部Ｙ１・Ｙ１は被嵌合補助部Ｋ２２・Ｋ３２・Ｋ２２・Ｋ３２の左右外側面、被嵌合導入部Ｋ４４・Ｋ４４・Ｋ５４・Ｋ５４に沿って押し広げられて、被嵌合部Ｋ４２・Ｋ４２・Ｋ５２・Ｋ５２に嵌合される。そのあと、取り付けられた縦葺き屋根材Ｙの隣に取り付ける縦葺き屋根材Ｙを嵌合させて取り付ける。
【実施例２】
【００３８】
次に、図４から図６までによって、本願の縦葺き屋根材取付金具及び縦葺き屋根材の取付構造について、上記実施例１とは異なる実施例２を説明する。本実施例は、挿入部および挿入孔が形成されている場合を示している。なお、本実施例は、実施例１に記載した特徴をすべて有する。
【００３９】
本願は、左立面Ｋ２および右立面Ｋ３の前後端部において被嵌合補助部よりも低い位置に、挿入部Ｋ２１・Ｋ２１・Ｋ３１・Ｋ３１を有する。一方、前立面Ｋ４および後立面Ｋ５は、挿入孔Ｋ４１・Ｋ４１・Ｋ５１・Ｋ５１を有する。そして、挿入部Ｋ２１・Ｋ２１・Ｋ３１・Ｋ３１は、挿入孔Ｋ４１・Ｋ５１・Ｋ４１・Ｋ５１に挿入されている。このような構成によって、左立面Ｋ２および右立面Ｋ３、前立面Ｋ４および後立面Ｋ５が常に適正な位置になる。もし、それらが適正な位置でない場合、挿入部Ｋ２１・Ｋ２１・Ｋ３１・Ｋ３１は、挿入孔Ｋ４１・Ｋ５１・Ｋ４１・Ｋ５１に挿入されないので、成形不良と判断できる。たとえば、左立面Ｋ２および右立面Ｋ３、前立面Ｋ４および後立面Ｋ５は、底面Ｋ１からの直角曲げで形成されるのが望ましい。これらが適正な位置で直角に折り曲げられていなければ、挿入部Ｋ２１・Ｋ２１・Ｋ３１・Ｋ３１は、挿入孔Ｋ４１・Ｋ５１・Ｋ４１・Ｋ５１に挿入された構成にならない仕組みである。
【００４０】
本願では、縦葺き屋根材Ｙを取り付ける際、そこに下方向への荷重がかかった場合、被嵌合補助部Ｋ２２・Ｋ３２を有する左立面Ｋ２および右立面Ｋ３を内側に倒すような荷重が加わる。本実施例は、挿入部Ｋ２１・Ｋ２１・Ｋ３１・Ｋ３１が挿入孔Ｋ４１・Ｋ５１・Ｋ４１・Ｋ５１に挿入されている構成である。そのため、左立面Ｋ２や右立面Ｋ３に対して内側に倒すような荷重が加わった場合、挿入部Ｋ２１・Ｋ２１・Ｋ３１・Ｋ３１が挿入孔Ｋ４１・Ｋ５１・Ｋ４１・Ｋ５１に当接し、本願の縦葺き屋根材取付金具Ｋが変形するのを防ぐことができる。
【００４１】
次に、本実施例の縦葺き屋根材Ｙの取付構造について図６にて説明する。本実施例では、キャップを用いない縦葺き屋根材Ｙを取り付けるものである。なお、本願で用いる縦葺き屋根材Ｙは、キャップの有無を問わない。後述する実施例３にて、キャップを用いる場合について説明する。
【００４２】
本実施例では、まず、縦葺き屋根材取付金具Ｋを下地Ｓに固定する。このとき、底面Ｋ１に形成された固定具用孔Ｋ１１に、ビス等の固定具が打ち込まれることによって固定される。これを所定の間隔ごと、屋根の流れ方向、桁行方向に並べるように、複数の縦葺き屋根材取付金具Ｋを固定していく。屋根の流れ方向に並べられた縦葺き屋根材取付金具Ｋの被嵌合部Ｋ４２・Ｋ４２・Ｋ５２・Ｋ５２に、縦葺き屋根材Ｙの嵌合部Ｙ１・Ｙ１が嵌合されて取り付けられる。そのあと、取り付けられた縦葺き屋根材Ｙの隣に取り付ける縦葺き屋根材Ｙを嵌合させて取り付ける。
【実施例３】
【００４３】
次に、図７から図９までによって、本願の縦葺き屋根材取付金具及び縦葺き屋根材の取付構造について、上記実施例とは異なる例を説明する。本実施例は、実施例２に記載した特徴をすべて有する。
【００４４】
本実施例３は、キャップＣを用いる縦葺き屋根材Ｙ・Ｙを取り付けるものである。なお、本願で用いる縦葺き屋根材Ｙは、キャップＣの有無を問わない。
【００４５】
本実施例では、被嵌合補助部Ｋ２２・Ｋ３２・Ｋ２２・Ｋ３２の左右内側面に近接又は当接する受支部Ｋ４３・Ｋ４３・Ｋ５３・Ｋ５３が、前立面Ｋ４および後立面Ｋ５に形成されている。実施例１や実施例２と形状が異なり、左立面Ｋ２の被嵌合補助部Ｋ２２・Ｋ２２を受支する受支部Ｋ４３・Ｋ５３、右立面Ｋ３の被嵌合補助部Ｋ３２・Ｋ３２を受支する受支部Ｋ４３・Ｋ５３と、別々に形成されている。いいかえれば、実施例１および実施例２における前立面Ｋ４の左右の受支部Ｋ４３・Ｋ４３の間、および後立面Ｋ５の受支部Ｋ５３・Ｋ５３の間が切り欠かれたような形状になっている。このような受支部Ｋ４３・Ｋ５３・Ｋ４３・Ｋ５３であっても実施例２同様、縦葺き屋根材Ｙを取り付けるときに、縦葺き屋根材Ｙに対して下方向への荷重が加えられても、被嵌合補助部Ｋ２２・Ｋ２２・Ｋ３２・Ｋ３２が内側方向に変形しにくくなる。
【００４６】
本実施例では、前立面Ｋ４の左右の受支部Ｋ４３・Ｋ４３の間、および後立面Ｋ５の受支部Ｋ５３・Ｋ５３の間が切り欠かれたような形状になっている。この切り欠かれた部分には、縦葺き屋根材Ｙの端部が納まるようになっている。その結果、縦葺き屋根材Ｙを縦葺き屋根材取付金具Ｋに引っ掛けた状態になる。そのため、キャップＣを取り付ける際に、左右に隣り合う縦葺き屋根材Ｙ・Ｙ同士がずれにくくなる。
【００４７】
本実施例では、まず、縦葺き屋根材取付金具Ｋを下地Ｓに固定する。このとき、底面Ｋ１に形成された固定具用孔Ｋ１１にビス等の固定具が打ち込まれることによって固定される。これを所定の間隔ごと、屋根の流れ方向、桁行方向に並べるように、複数の縦葺き屋根材取付金具Ｋを固定していく。屋根の流れ方向に並べられた縦葺き屋根材取付金具Ｋの被嵌合部Ｋ４２・Ｋ５２に、縦葺き屋根材Ｙの嵌合部Ｙ１が嵌合されて取り付けられる。そのあと、取り付けられた縦葺き屋根材Ｙの隣に取り付ける縦葺き屋根材Ｙを縦葺き屋根材取付金具Ｋの被嵌合部Ｋ４２・Ｋ５２に嵌合させて取り付ける。そして、左右に隣り合う縦葺き屋根材Ｙ・Ｙ同士の間、すなわち、縦葺き屋根材取付金具Ｋの上を覆うように、キャップＣを取り付ける。
【符号の説明】
【００４８】
Ｋ        縦葺き屋根材取付金具
Ｋ１      底面
Ｋ１１    固定具用孔
Ｋ２      左立面
Ｋ２１    挿入部
Ｋ２２    被嵌合補助部
Ｋ３      右立面
Ｋ３１    挿入部
Ｋ３２    被嵌合補助部
Ｋ４      前立面
Ｋ４１    挿入孔
Ｋ４２    被嵌合部
Ｋ４３    受支部
Ｋ４４    被嵌合導入部
Ｋ５      後立面
Ｋ５１    挿入孔
Ｋ５２    被嵌合部
Ｋ５３    受支部
Ｋ５４    被嵌合導入部
Ｙ        縦葺き屋根材
Ｙ１      嵌合部
Ｃ        キャップ
Ｓ        下地
【図１】
0006652704.tif 000002
【図２】
0006652704.tif 000003
【図３】
0006652704.tif 000004
【図４】
0006652704.tif 000005
【図５】
0006652704.tif 000006
【図６】
0006652704.tif 000007
【図７】
0006652704.tif 000008
【図８】
0006652704.tif 000009
【図９】
0006652704.tif 000010
【図１０】
0006652704.tif 000011
【図１１】
0006652704.tif 000012